(57)【要約】  エレベータのかごは、かご枠と、かご枠に支持され、かご出入口が設けられているかご室と、かご出入口の上方に配置され、ハンガレールが設けられている桁と、ハンガレールに沿って移動され、かご出入口を開閉するかごドアとを有している。かご室は、かご出入口の両側に配置された一対の袖壁と、かご出入口の上部に配置され、両端部が袖壁に締結されている出入口上板とを有している。袖壁と出入口上板との締結部には、桁取付ブラケットが取り付けられている。桁は、桁取付ブラケットを介してかご室に取り付けられている。
2012070098.tif 000002
【特許請求の範囲】
【請求項１】
かご枠と、
前記かご枠に支持され、かご出入口が設けられているかご室と、
前記かご出入口の上方に配置され、ハンガレールが設けられている桁と、
前記ハンガレールに沿って移動され、前記かご出入口を開閉するかごドアと
を備え、
前記かご室は、前記かご出入口の両側に配置された一対の袖壁と、前記かご出入口の上部に配置され、両端部が前記袖壁に締結されている出入口上板とを有しており、
前記袖壁と前記出入口上板との締結部には、桁取付ブラケットが取り付けられており、
前記桁は、前記桁取付ブラケットを介して前記かご室に取り付けられているエレベータのかご。
【請求項２】
前記桁取付ブラケットは、前記かご室の天井にも締結されている請求項１記載のエレベータのかご。
【請求項３】
前記桁取付ブラケットは、前記かご室に取り付けられたかご室取付部材と、前記桁に取り付けられた桁取付部材とに分割されており、
前記桁取付部材は、前記かご室取付部材に対して位置調整可能に結合されており、
前記かご室取付部材に対する前記桁取付部材の位置を調整することにより、前記桁の上下方向の位置、前記かご室の奥行き方向の前記桁の位置、及び前記桁の倒れ方向の取付角度が調整可能になっている請求項１記載のエレベータのかご。
【請求項４】
かご枠と、
前記かご枠に支持され、かご出入口が設けられているかご室と、
前記かご出入口の上方に配置され、ハンガレールが設けられている桁と、
前記ハンガレールに沿って移動され、前記かご出入口を開閉するかごドアと
を備え、
前記かご室の天井上には、桁取付ブラケットが取り付けられており、
前記桁は、前記桁取付ブラケットを介して前記かご室に取り付けられており、
前記桁取付ブラケットは、前記天井の前縁部に沿って前記かご室の幅方向全体に渡って設けられているエレベータのかご。
【請求項５】
前記桁取付ブラケットには、前記桁の鉛直下方への荷重を受ける桁受け部が設けられている請求項４記載のエレベータのかご。
【請求項６】
前記天井と前記桁取付ブラケットとの間に介在され、前記桁取付ブラケットの上下方向の位置を調整する調整用ライナをさらに備えている請求項４記載のエレベータのかご。
【発明の詳細な説明】
【技術分野】
【０００１】
この発明は、エレベータのかごに関し、特にかごドアの開閉を案内するハンガレールが設けられた桁の取付構造に関するものである。
【背景技術】
【０００２】
従来のエレベータのかごでは、かご室を支持するかご枠に、取付腕を介して桁が取り付けられている。桁には、かごドアの開閉を案内するハンガレールが設けられている。取付腕とかご枠との間には、補強用のロッドが斜めに連結されている（例えば、特許文献１参照）。【０００３】
また、他の従来のかごでは、かご枠を用いず、かご室の外面に補強材が設けられている。具体的には、かご室の一対の側壁の外面に一対の側壁補強材が設けられ、かご室の天井の外面に天井補強材が設けられている。そして、側壁補強材と天井補強材との間には、一対のブラケットが締結されている。また、かごドア装置の桁は、ブラケット、出入口枠及び天井に締結されている（例えば、特許文献２参照）。
【先行技術文献】
【特許文献】
【０００４】
【特許文献１】実開昭５４−１７５１４１号公報
【特許文献２】特開平６−３２９３７０号公報
【発明の概要】
【発明が解決しようとする課題】
【０００５】
特許文献１に示された従来のかご構造では、桁をかご枠に取り付けるためにロッドや取付腕等の部材を必要とするため、部品点数が多くなる。また、桁がかご枠に取り付けられているため、かご室に設けられたかご出入口の中心と桁の中心とを合わせる芯出しなどの据付調整に手間がかかる。【０００６】
一方、特許文献２に示された従来のかご構造は、かご枠を用いない簡略な構造であるため、小型エレベータにしか適用できない。また、かご枠上に防振ゴムを介してかご室を支持する構造ではないため、乗り心地が悪くなる。さらに、この構造によっても、かご出入口の中心と桁の中心とを合わせる芯出しなどの据付調整に手間がかかる。【０００７】
この発明は、上記のような課題を解決するためになされたものであり、乗り心地の悪化を避けつつ、簡単な構成により、桁の据付調整を容易にすることができるエレベータのかごを得ることを目的とする。
【課題を解決するための手段】
【０００８】
この発明に係るエレベータのかごは、かご枠と、かご枠に支持され、かご出入口が設けられているかご室と、かご出入口の上方に配置され、ハンガレールが設けられている桁と、ハンガレールに沿って移動され、かご出入口を開閉するかごドアとを備え、かご室は、かご出入口の両側に配置された一対の袖壁と、かご出入口の上部に配置され、両端部が袖壁に締結されている出入口上板とを有しており、袖壁と出入口上板との締結部には、桁取付ブラケットが取り付けられており、桁は、桁取付ブラケットを介してかご室に取り付けられている。
また、この発明に係るエレベータのかごは、かご枠と、かご枠に支持され、かご出入口が設けられているかご室と、かご出入口の上方に配置され、ハンガレールが設けられている桁と、ハンガレールに沿って移動され、かご出入口を開閉するかごドアとを備え、かご室の天井上には、桁取付ブラケットが取り付けられており、桁は、桁取付ブラケットを介してかご室に取り付けられており、桁取付ブラケットは、天井の前縁部に沿ってかご室の幅方向全体に渡って設けられている。
【発明の効果】
【０００９】
この発明のエレベータのかごは、かご室がかご枠に支持されており、かご室に取り付けられた桁取付ブラケットに桁が取り付けられているので、乗り心地の悪化を避けつつ、簡単な構成により、桁の据付調整を容易にすることができる。
【図面の簡単な説明】
【００１０】
【図１】この発明の実施の形態１によるエレベータのかご室前面上部を示す正面図である。
【図２】図１のかご室前面上部を示す側面図である。
【図３】図１のかご室前面上部を示す平面図である。
【図４】この発明の実施の形態２によるエレベータのかご室前面上部を示す正面図である。
【図５】図４のかご室前面上部を示す側面図である。
【図６】図４のかご室前面上部を示す平面図である。
【図７】この発明の実施の形態３によるエレベータのかご室前面上部を示す正面図である。
【図８】図７のかご室前面上部を示す側面図である。
【図９】図７の桁取付ブラケットを拡大して示す正面図である。
【図１０】図９のＸ−Ｘ線に沿う断面図である。
【図１１】この発明の実施の形態４によるエレベータのかご室前面上部を示す正面図である。
【図１２】図１１のかご室前面上部を示す側面図である。
【図１３】図１１のかご室前面上部を示す平面図である。
【図１４】この発明の実施の形態５によるエレベータのかご室前面上部を示す側面図である。
【図１５】この発明の実施の形態６によるエレベータのかご室前面上部を示す側面図である。
【図１６】実施の形態１〜６のかご構造が適用されるエレベータ装置の一例を示す側面図である。
【発明を実施するための形態】
【００１１】
以下、この発明を実施するための形態について、図面を参照して説明する。
実施の形態１．
図１はこの発明の実施の形態１によるエレベータのかご室前面上部を示す正面図、図２は図１のかご室前面上部を示す側面図、図３は図１のかご室前面上部を示す平面図である。エレベータのかごは、かご枠（図示せず）と、かご枠に支持され、かご出入口１ａが設けられているかご室１と、かご室１のかご出入口１ａの上方に配置され、ハンガレール２ａが設けられている桁２と、ハンガレール２ａに沿って移動され、かご出入口１ａを開閉する一対のかごドア３とを有している。
【００１２】
かご室１は、かご出入口１ａの両側に配置された一対の袖壁４と、かご出入口１ａの上部に配置され、両端部が袖壁に締結されている出入口上板５と、かご出入口１ａに対向する後壁（図示せず）と、左右一対の側壁（図示せず）と、天井（天蓋）６とを有している。
【００１３】
袖壁４と出入口上板５との締結部には、一対の桁取付ブラケット７が取り付けられている。各桁取付ブラケット７は、複数の締結具（ボルト・ナット）により袖壁４と出入口上板５との締結部に共締めされている。桁２は、桁取付ブラケット７に取り付けられている。即ち、桁２は、桁取付ブラケット７を介してかご室１に取り付けられている。
【００１４】
各かごドア３は、かご出入口１ａを開閉するかごドアパネル８と、かごドアパネル８の上部に固定されたドアハンガ９とを有している。ドアハンガ９には、ハンガレール２ａ上を転動する複数のハンガローラ１０が設けられている。かごドアパネル８は、ドアハンガ９を介してハンガレール２ａから吊り下げられている。
【００１５】
このようなエレベータのかごでは、袖壁４と出入口上板５との締結部を利用してかご室１に取り付けられた桁取付ブラケット７に桁２が取り付けられているので、少ない部品で、簡単な構成により、桁２をかご室１に取り付けることができ、軽量化及びコストダウンを図ることができる。
【００１６】
また、袖壁４の側面を基準としてかご室１に桁２を取り付けることができ、かご出入口１ａの中心と桁２の中心とを合わせる芯出しなどの据付調整を容易にすることができ、据付作業の省力化を図ることができる。また、かごドア３とかご室１との隙間調整を簡易化したり、走行時の係合装置（図示せず）のクリアランス管理等の手間を省いたりすることができる。
【００１７】
さらに、桁２がかご室１の前に配置されるため、天井高が高い場合にも、かごドア３の高さを抑えることが可能となり、品種の削減及び材料の削減を図ることができる。
【００１８】
さらにまた、かご室１がかご枠に支持されているため、かご枠とかご室１との間に防振ゴム等の防振材を介在させることができ、乗り心地の悪化を防止することができる。
【００１９】
実施の形態２．
次に、図４はこの発明の実施の形態２によるエレベータのかご室前面上部を示す正面図、図５は図４のかご室前面上部を示す側面図、図６は図４のかご室前面上部を示す平面図である。図において、桁取付ブラケット７の上端部には、天井６に締結された天井締結部７ａが設けられている。即ち、実施の形態２の桁取付ブラケット７は、袖壁４と出入口上板５との締結部に加えて、天井６にも締結されている。天井締結部７ａは、天井６と出入口上板５との締結部に共締めされている。他の構成は、実施の形態１と同様である。
【００２０】
このようなエレベータのかごでは、例えば窓付きドアなど、重量の大きいかごドア３を用いる場合に、桁取付ブラケット７にかかるモーメントを下げることができ、桁２が倒れる方向へ変位するのを防止することができる。
【００２１】
実施の形態３．
次に、図７はこの発明の実施の形態３によるエレベータのかご室前面上部を示す正面図、図８は図７のかご室前面上部を示す側面図である。図において、袖壁４と出入口上板５との締結部には、一対の桁取付ブラケット１１が取り付けられている。桁２は、桁取付ブラケット１１に取り付けられている。即ち、桁２は、桁取付ブラケット１１を介してかご室１に取り付けられている。
【００２２】
図９は図７の桁取付ブラケット１１を拡大して示す正面図、図１０は図９のＸ−Ｘ線に沿う断面図である。桁取付ブラケット１１は、かご室１に取り付けられたかご室取付部材１２と、桁２の上部に取り付けられた上側桁取付部材１３と、桁２の下部に取り付けられた下側桁取付部材１４とに分割されている。
【００２３】
各かご室取付部材１２は、複数の締結具（ボルト・ナット）により、袖壁４と出入口上板５との締結部に共締めされているとともに、出入口上板５と天井６との締結部に共締めされている。
【００２４】
上側桁取付部材１３及び下側桁取付部材１４は、かご室取付部材１２に対して位置調整可能に結合されている。かご室取付部材１２に対する桁取付部材１３，１４の位置を調整することにより、桁２の上下方向の位置、かご室１の奥行き方向の桁２の位置、及び桁２の倒れ方向の取付角度が調整可能になっている。
【００２５】
具体的には、上側桁取付部材１３とかご室取付部材１２の上端部との間に、桁２の上下方向の位置を調整するための上下方向調整機構１５が設けられている。桁２には、桁取付ブラケット１１に桁２を締結するボルトを上下方向に逃がす長穴が設けられている。
【００２６】
また、下側桁取付部材１４とかご室取付部材１２との間には、かご室１の奥行き方向（前後方向）の桁２の位置を調整するための前後方向調整機構１６が設けられている。桁取付部材１３，１４には、かご室取付部材１２に桁取付部材１３，１４を締結するボルトを前後方向に逃がす長穴が設けられている。
【００２７】
さらに、上側桁取付部材１３とかご室取付部材１２との間には、桁２の倒れ方向の取付角度を調整するための倒れ方向調整機構１７が設けられている。調整機構１５〜１７としては、ジャッキアップボルトを有するジャッキアップ機構を用いることができる。他の構成は、実施の形態１と同様である。
【００２８】
このようなエレベータのかごでは、例えば、桁２の取付時に芯出しを実施した後に、かごドア３を吊り下げた段階で、かごドア３の重量により桁２が若干倒れてしまった場合に、倒れ方向調整機構１７を操作することで桁２の取付角度を精度良く再調整することができる。また、上下方向や前後方向へも桁２の取付位置を精度良く再調整することができる。
【００２９】
なお、実施の形態３では、桁取付ブラケット１１を天井６にも締結したが、実施の形態１と同様に、袖壁４と出入口上板５との締結部のみに締結してもよい。
【００３０】
実施の形態４．
次に、図１１はこの発明の実施の形態４によるエレベータのかご室前面上部を示す正面図、図１２は図１１のかご室前面上部を示す側面図、図１３は図１１のかご室前面上部を示す平面図である。図において、天井６上には、桁取付ブラケット２１が取り付けられている。桁２は、桁取付ブラケット２１を介してかご室１に取り付けられている。
【００３１】
桁取付ブラケット２１は、天井６の前縁部に沿ってかご室１の幅方向（図１１の左右方向）全体に渡って設けられている。また、桁取付ブラケット２１は、天井６に取り付けられた水平部２１ａと、水平部２１ａから垂直上方へ突出した壁状の垂直部２１ｂとを有している。水平部２１ａは、複数の締結具により天井６に締結されている。桁２は、複数の締結具により垂直部２１ｂに締結されている。他の構成は、実施の形態１と同様である。
【００３２】
このようなエレベータのかごでは、天井６の前縁部の全体に渡って桁取付ブラケット２１が設けられているので、保守員が天井６上で工具類を落とした場合に工具類が天井６上から昇降路内に落下するのを防止することができる。即ち、天井６上には、ピットへの工具類の落下を防止するために、天井６上のスペースを囲むように落下防止柵が設けられるが、実施の形態４では、桁取付ブラケット２１に落下防止柵の一部を兼ねさせることができ、部品点数を削減することができる。
【００３３】
また、桁取付ブラケット２１のみにより桁２がかご室１に取り付けられているので、少ない部品で、簡単な構成により、桁２をかご室１に取り付けることができ、軽量化及びコストダウンを図ることができる。
【００３４】
さらに、桁取付ブラケット２１がかご枠ではなく天井６に取り付けられているので、天井６とかご出入口１ａの中心とを正確に位置決めすることにより、かご出入口１ａの中心と桁２の中心とを合わせる芯出しなどの据付調整を容易にすることができ、据付作業の省力化を図ることができる。
【００３５】
さらにまた、かご室１がかご枠に支持されているため、かご枠とかご室１との間に防振ゴム等の防振材を介在させることができ、乗り心地の悪化を防止することができる。
【００３６】
なお、実施の形態４の桁取付ブラケット２１を袖壁４と出入口上板５との締結部にも締結してもよい。
また、実施の形態４の桁取付ブラケット２１を、実施の形態３で示したように、かご室取付部材と桁取付部材とに分割し、かご室取付部材に対する桁取付部材の位置を調整することにより、桁の上下方向の位置、かご室の奥行き方向の桁の位置、及び桁の倒れ方向の取付角度を調整可能としてもよい。
【００３７】
実施の形態５．
次に、図１４はこの発明の実施の形態５によるエレベータのかご室前面上部を示す側面図である。図において、桁取付ブラケット２１には、桁２の鉛直下方への荷重を受ける桁受け部２１ｃが設けられている。桁受け部２１ｃは、垂直部２１ｂの中間部を折り曲げて形成された水平な部分である。他の構成は、実施の形態４と同様である。
【００３８】
このようなエレベータのかごでは、桁２の据付時に、桁２を垂直部２１ｂに締結する前であっても、桁２の重量を桁受け部２１ｃに預けることができるので、据付作業を容易にすることができる。また、桁取付ブラケット２１には圧縮方向に荷重がかかるので、桁２の下方への変位を抑えることができる。
【００３９】
なお、桁受け部２１ｃは、曲げ部に限定されるものではなく、例えば、桁２が係合又は引っ掛けられる構造であってもよい。このような構造としては、例えば、桁２及び桁取付ブラケット２１のいずれか一方に角穴を設け、この角穴に挿入される板金の立ち上げ部を他方に設ける構造が挙げられる。
【００４０】
実施の形態６．
次に、図１５はこの発明の実施の形態６によるエレベータのかご室前面上部を示す側面図である。図において、天井６と桁取付ブラケット２１との間には、桁取付ブラケット２１の上下方向の位置を調整する複数の調整用ライナ２２が介在されている。他の構成は、実施の形態４と同様である。
【００４１】
このようなエレベータのかごでは、天井６と桁取付ブラケット２１との間に調整用ライナ２２を設けたので、桁２よりも軽量な桁取付ブラケット２１の上下方向の位置を正確に調整することにより、桁２の上下方向の位置調整を容易にすることができる。同様に、桁２の倒れ方向の角度調整も容易に行うことができる。
【００４２】
また、この場合、桁２の前後方向の位置は、桁取付ブラケット２１を天井６に締結するボルトが貫通する孔を長孔とすることで調整が可能である。さらに、桁２の左右方向の位置は、天井６とかご出入口１ａの中心との芯を正確に出すことで調整不要である。
【００４３】
なお、実施の形態５に示した桁取付ブラケット２１と天井６との間に調整用ライナ２２を介在させてもよい。
【００４４】
ここで、図１６は実施の形態１〜６のかご構造が適用されるエレベータ装置の一例を示す側面図である。図において、昇降路３１内には、一対のかごガイドレール３２及び一対の釣合おもりガイドレール３３が設置されている。釣合おもりガイドレール３３の上端部には、返し車支持部材３４が取り付けられている。返し車支持部材３４には、第１及び第２の返し車３５，３６が取り付けられている。
【００４５】
昇降路３１内には、かごガイドレール３２に沿って昇降されるかご３７と、釣合おもりガイドレール３３に沿って昇降される釣合おもり３８とが設けられている。かご３７の下部には、一対のかご吊り車３９が設けられている。釣合おもり３８の上部には、釣合おもり吊り車４０が設けられている。
【００４６】
昇降路３１内のかご３７及び釣合おもり３８の昇降領域外には、かご３７及び釣合おもり３８を昇降させる巻上機４１が設置されている。巻上機４１は、駆動シーブ４２と、駆動シーブ４２を回転させる巻上機モータと、駆動シーブ４２の回転を制動する巻上機ブレーキとを有している。また、巻上機４１は、昇降路３１の底部に設置された支持台４３上に支持されている。
【００４７】
かごガイドレール３２の上端部には、端部支持部材４４が固定されている。かご３７及び釣合おもり３８は、懸架手段４５により昇降路３１内に吊り下げられている。懸架手段４５としては、複数本のロープ又は複数本のベルトが用いられている。
【００４８】
懸架手段４５は、端部支持部材４４に接続された第１端部と、返し車支持部材３４に接続された第２端部とを有している。また、懸架手段４５は、第１端部側から順に、かご吊り車３９、第１の返し車３５、駆動シーブ４２、第２の返し車３６及び釣合おもり吊り車４０の順に巻き掛けられている。
【００４９】
なお、図１６では、２：１ローピング方式のエレベータ装置を示したが、ローピング方式はこれに限定されるものではなく、例えば１：１ローピング方式のエレベータ装置にもこの発明は適用できる。
また、エレベータ装置全体のレイアウトも図１６に限定されず、例えば巻上機４１は昇降路の上部に配置してもよい。
さらに、図１６では機械室を持たないエレベータ装置を示したが、機械室を持つエレベータ装置にもこの発明は適用できる。
さらにまた、実施の形態１〜６では、２枚戸中央開き式のドア装置を示したが、かごドア３の枚数は２枚に限定されるものではなく、また、片開き式のドア装置にもこの発明は適用できる。
【図１】
2012070098.tif 000003
【図２】
2012070098.tif 000004
【図３】
2012070098.tif 000005
【図４】
2012070098.tif 000006
【図５】
2012070098.tif 000007
【図６】
2012070098.tif 000008
【図７】
2012070098.tif 000009
【図８】
2012070098.tif 000010
【図９】
2012070098.tif 000011
【図１０】
2012070098.tif 000012
【図１１】
2012070098.tif 000013
【図１２】
2012070098.tif 000014
【図１３】
2012070098.tif 000015
【図１４】
2012070098.tif 000016
【図１５】
2012070098.tif 000017
【図１６】
2012070098.tif 000018
【国際調査報告】
2012070098.tif 000019
2012070098.tif 000020
2012070098.tif 000021
2012070098.tif 000022